【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
身体管腔を処置するための装置であって、該装置は、
外側部材であって、該外側部材は、近位端、身体管腔の中へ導入するようにサイズ決定された遠位端、および該近位端と該遠位端にある出口との間に延在する第１の管腔を含む、外側部材と、
該第１の管腔内に摺動可能に配置された内側部材であって、該内側部材は、該外側部材近位端に隣接する近位端、および該外側部材遠位端を遠位に越えて延在する遠位端を備える、内側部材と、
該内側部材遠位端上の密閉部材であって、該密閉部材は、それを通る１つ以上の通路を備える、密閉部材と、
拡張可能バルーンであって、該拡張可能バルーンは、該密閉部材を遠位に越えた該内側部材遠位端に固定された遠位端、および該バルーンの内部が該１つ以上の通路と連通するように該密閉部材に固定された近位端を備える、拡張可能バルーンと
を備え、
該内側部材は、遠位位置と近位位置との間で移動可能であり、該遠位位置において、該密閉部材が該出口から離間されていることにより、該第１の管腔を通して導入された流体は、該装置の周囲の領域の中へと該出口を通過し、該近位位置において、該密閉部材が該出口を実質的に密閉することにより、該第１の管腔を通して導入された流体は、該１つ以上の通路を通過し、該バルーン内部に進入して該バルーンを拡張させる、装置。
【請求項２】
張力要素をさらに備え、該張力要素は、前記近位位置に向かって該内側部材を付勢するために、前記内側部材と前記外側部材との間に連結されている、請求項１に記載の装置。
【請求項３】
前記外側部材近位端上のハンドルと、該ハンドル上のアクチュエータとをさらに備え、該アクチュエータは、前記近位位置から前記遠位位置まで前記内側部材を誘導することにより、前記バルーン出口を開放する、請求項１または２に記載の装置。
【請求項４】
前記内側部材は、第２の管腔を備え、該第２の管腔は、それを通して細長い部材を受容するように該内側部材の近位端と遠位端との間に延在する、請求項１に記載の装置。
【請求項５】
前記密閉部材は、テーパ状近位端を備え、該テーパ状近位端は、前記近位位置において前記外側部材の前記出口の中に該密閉部材を着座させることを強化する、請求項１に記載の装置。
【請求項６】
密閉部材は、弁本体と、該弁本体上の１つ以上の弁シールとを備え、該弁本体は、前記近位位置で前記出口を通して前記第１の管腔の中へ受容されるようにサイズ決定され、該１つ以上の弁シールは、該第１の管腔の内面に摺動可能に係合して、該出口を実質的に密閉する、請求項１に記載の装置。
【請求項７】
螺旋部材をさらに備え、該螺旋部材は、前記外側部材遠位端に連結された第１の端部と、前記内側部材遠位端に連結された第２の端部とを備え、該螺旋部材は、前記バルーン内部内で該内側部材の周囲に螺旋状に延在し、該内側部材は、該螺旋部材を半径方向外向きに拡張させるように、第３の位置まで遠位に移動可能であり、前記バルーンは、拡張された螺旋形状を画定するように、該螺旋部材の上に横たわる、請求項１に記載の装置。
【請求項８】
身体管腔を処置するための装置であって、該装置は、
外側部材であって、該外側部材は、近位端、身体管腔の中へ導入するようにサイズ決定された遠位端、および該近位端と該遠位端にある出口との間に延在する第１の管腔を含む、外側部材と、
該第１の管腔内に摺動可能に配置された内側部材であって、該内側部材は、近位端、および該外側部材遠位端を越えて遠位に延在する遠位部分を備える、内側部材と、
該遠位部分上の処置要素と、
該処置要素よりも近位にある該遠位部分上の密閉部材と、
該外側部材近位端上のハンドルと、
該内側部材に連結された該ハンドル上のアクチュエータであって、該アクチュエータは、該内側部材を遠位位置と近位位置との間で誘導し、該遠位位置において、該密閉部材が該出口から離間されていることにより、該第１の管腔を通して導入された流体は、該装置の周囲の領域の中へと該出口を通過し、該近位位置において、該密閉部材は該出口を実質的に密閉する、アクチュエータと
を備える、装置。
【請求項９】
前記処置要素は、内部を含むバルーンを備え、該内部が、前記密閉部材を通って延在する１つ以上の通路と連通することにより、該内部部材が前記近位位置にある状態で、前記第１の管腔を通して導入された流体は、該１つ以上の通路を通過し、該バルーン内部に進入して該バルーンを拡張する、請求項８に記載の装置。
【請求項１０】
前記処置要素は、該バルーン上に補綴物をさらに備え、該補綴物は、該バルーンが拡張されるときに拡張可能である、請求項９に記載の装置。
【請求項１１】
前記処置要素は、身体管腔に隣接する組織にエネルギーを送達するために、前記バルーン上に１つ以上の要素をさらに備える、請求項９に記載の装置。
【請求項１２】
前記バルーン上の前記１つ以上の要素に電気エネルギーを送達するために、前記ハンドルに連結された発電機をさらに備える、請求項１１に記載の装置。
【請求項１３】
前記処置要素は、前記身体管腔に隣接する組織を冷却するために、前記バルーン内に冷却装置をさらに備える、請求項９に記載の装置。
【請求項１４】
前記処置要素は、補綴物を備え、該補綴物は、収縮状態で前記遠位部分上に保持され、拡大状態に拡張するように付勢され、該処置要素は、該収縮状態で該補綴物を維持するように該補綴物の上に横たわる拘束部をさらに備え、該拘束部は、該補綴物を露出するために除去可能であり、その結果、該補綴物は、該拡大状態に向かって弾力的に拡張する、請求項８に記載の装置。
【請求項１５】
前記拘束部は、前記補綴物の上に横たわるスリーブを備え、前記ハンドルは、該補綴物を露出するように該スリーブを軸方向に誘導するために、該スリーブに連結された第２のアクチュエータを備える、請求項１４に記載の装置。
【手続補正２】
【補正対象書類名】明細書
【補正対象項目名】００３３
【補正方法】変更
【補正の内容】
【００３３】
図面に示される例示的な装置は、必ずしも一定の縮尺で描かれず、代わりに、図示した実施形態の種々の側面および特徴を図示することが強調されていることが理解されるであろう。
本発明はさらに、たとえば、以下を提供する。
（項目１）
身体管腔を処置するための装置であって、該装置は、
外側部材であって、該外側部材は、近位端、身体管腔の中へ導入するようにサイズ決定された遠位端、および該近位端と該遠位端にある出口との間に延在する第１の管腔を含む、外側部材と、
該第１の管腔内に摺動可能に配置される内側部材であって、該内側部材は、該外側部材近位端に隣接する近位端、および該外側部材遠位端を越えて遠位に延在する遠位端を備える、内側部材と、
該内側部材遠位端上の密閉部材であって、該密閉部材は、それを通る１つ以上の通路を備える、密閉部材と、
拡張可能バルーンであって、該拡張可能バルーンは、該密閉部材を遠位に越えた該内側部材遠位端に固定される遠位端、および該バルーンの内部が該１つ以上の通路と連通するように該密閉部材に固定される近位端を備える、拡張可能バルーンと
を備え、
該内側部材は、遠位位置と近位位置との間で移動可能であり、該遠位位置において、該密閉部材が該出口から離間されていることにより、該第１の管腔を通して導入された流体は、該装置の周囲の領域の中へと該出口を通過し、該近位位置において、該密閉部材が該出口を実質的に密閉することにより、該第１の管腔を通して導入された流体は、該１つ以上の通路を通過し、該バルーン内部に進入して該バルーンを拡張させる、装置。
（項目２）
張力部材をさらに備え、該張力部材は、前記内側部材と前記外側部材との間に連結されることにより、前記近位位置に向かって該内側部材を付勢する、項目１に記載の装置。
（項目３）
前記外側部材近位端上のハンドルと、該ハンドル上のアクチュエータとをさらに備え、該アクチュエータは、第２の位置から第１の位置まで前記内側部材を誘導することにより、前記バルーン出口を開放する、項目１または２に記載の装置。
（項目４）
前記内側部材は、第２の管腔を備え、該第２の管腔は、それを通して細長い部材を受容するように該内側部材の近位端と遠位端との間に延在する、項目１に記載の装置。
（項目５）
前記密閉部材は、テーパ状近位端を備え、該テーパ状近位端は、第２の位置において前記外側部材の前記出口の中に該密閉部材を着座させることを強化する、項目１に記載の装置。
（項目６）
密閉部材は、弁本体と１つ以上の弁シールとを備え、該弁本体は、前記近位位置で前記出口を通して前記第１の管腔の中へ受容されるようにサイズ決定され、該１つ以上の弁シールは、該第１の管腔の内面に摺動可能に係合して、該出口を実質的に密閉する、項目１に記載の装置。
（項目７）
螺旋部材をさらに備え、該螺旋部材は、前記外側部材遠位端に連結される第１の端部と、前記内側部材遠位端に連結される第２の端部とを備え、該螺旋部材は、前記バルーン内部内で該内側部材の周囲に螺旋状に延在し、該内側部材は、該螺旋部材を半径方向外向きに拡張させるように、第３の位置まで遠位に移動可能であり、前記バルーンは、拡張された螺旋形状を画定するように、該螺旋部材の上に横たわる、項目１に記載の装置。
（項目８）
身体管腔を処置するための装置であって、該装置は、
外側部材であって、該外側部材は、近位端、身体管腔の中へ導入するようにサイズ決定された遠位端、および該近位端と該遠位端にある出口との間に延在する第１の管腔を含む、外側部材と、
該第１の管腔内に摺動可能に配置される内側部材であって、該内側部材は、近位端、および該外側部材遠位端を越えて遠位に延在する遠位部分を備える、内側部材と、
該遠位部分上の処置要素と、
該処置要素よりも近位にある該遠位部分上の密閉部材と、
該外側部材近位端上のハンドルと、
該内側部材に連結される該ハンドル上のアクチュエータであって、該アクチュエータは、該内側部材を遠位位置と近位位置との間で誘導し、該遠位位置において、該密閉部材が該出口から離間されていることにより、該第１の管腔を通して導入された流体は、該装置の周囲の領域の中へと該出口を通過し、該近位位置において、該密閉部材は該出口を実質的に密閉する、アクチュエータと
を備える、装置。
（項目９）
前記処置要素は、内部を含むバルーンを備え、該内部が、前記密閉部材を通って延在する１つ以上の通路と連通することにより、該内部部材が前記近位位置にある状態で、前記第１の管腔を通して導入された流体は、該１つ以上の通路を通過し、該バルーン内部に進入してバルーンを拡張する、項目８に記載の装置。
（項目１０）
前記処置要素は、バルーン上に補綴物をさらに備え、該補綴物は、該バルーンが拡張されるときに拡張可能である、項目９に記載の装置。
（項目１１）
前記処置要素は、前記バルーン上に１つ以上の要素をさらに備え、それにより、身体管腔に隣接する組織にエネルギーを送達する、項目９に記載の装置。
（項目１２）
前記ハンドルに連結された発電機をさらに備え、それにより、前記バルーン上の前記１つ以上の要素に電気エネルギーを送達する、項目１１に記載の装置。
（項目１３）
前記処置要素は、前記バルーン内に冷却装置をさらに備え、それにより、前記身体管腔に隣接する組織を冷却する、項目９に記載の装置。
（項目１４）
前記処置要素は、補綴物を備え、該補綴物は、収縮状態で前記遠位部分上に担持され、拡大状態に拡張するように付勢され、該処置要素は、該収縮状態で該補綴物を維持するように該補綴物の上に横たわる拘束部をさらに備え、該拘束部は、該補綴物を露出するために除去可能であり、その結果、該補綴物は、該拡大状態に向かって弾力的に拡張する、項目８に記載の装置。
（項目１５）
前記拘束部は、前記補綴物の上に横たわるスリーブを備え、前記ハンドルは、該補綴物を露出するように該スリーブを軸方向に誘導するために、該スリーブに連結される第２のアクチュエータを備える、項目１４に記載の装置。
（項目１６）
身体管腔を処置するための装置であって、該装置は、
外側部材であって、該外側部材は、近位端、身体管腔の中へ導入するためにサイズ決定された遠位端、および該近位端と該遠位端にある出口との間に延在する第１の管腔を含む、外側部材と、
該第１の管腔内に摺動可能に配置される内側部材であって、該内側部材は、該外側部材近位端に隣接する近位端、および該外側部材遠位端を越えて遠位に延在する遠位端を備える、内側部材と、
遠位部分上の処置要素と、
該処置要素よりも近位にある該遠位部分上の密閉部材であって、遠位部分部材は、該密閉部材における１つ以上のポートから該内側部材の遠位先端まで延在する１つ以上の通路を備える、密閉部材と
を備え、
該内側部材は、遠位位置と近位位置との間で移動可能であり、該遠位位置において、該密閉部材が該出口から離間されていることにより、該第１の管腔を通して導入された流体は、該処置要素よりも近位にある該装置の周囲の領域の中へと該出口を通過し、該近位位置において、該密閉部材が該出口を実質的に密閉することにより、該第１の管腔を通して導入された流体は、該処置要素よりも遠位にある該装置の周囲の領域の中へと該１つ以上の通路を通過する、装置。
（項目１７）
前記処置要素は、バルーンを備え、前記内側部材は、該バルーン内部と連通する膨張管腔を備える、項目１６に記載の装置。
（項目１８）
前記処置要素を遠位に越えた前記内側部材の前記遠位端上に遠位先端をさらに備え、該遠位先端は、ガイドワイヤ管腔を備え、該ガイドワイヤ管腔は、遠位ポートと、該遠位ポートよりも近位にあり、該処置要素よりも遠位にある側面ポートとの間で連通する、項目１６に記載の装置。
（項目１９）
前記処置要素を遠位に越えた前記内側部材の前記遠位端上に遠位先端をさらに備え、該遠位先端は、可撓性の湾曲形状を備え、該内側部材は、該遠位先端の方向を変化させるために前記外側部材に対して回転可能である、項目１６に記載の装置。
（項目２０）
前記処置要素を遠位に越えた前記内側部材の前記遠位端上に遠位先端をさらに備え、該遠位先端は、可撓性の湾曲形状に付勢され、該内側部材は、前記近位端と遠位端との間に該遠位先端を通って延在するガイドワイヤ管腔を備え、該遠位先端は、ガイドワイヤが該ガイドワイヤ管腔を通して導入され、該遠位先端が該湾曲形状に付勢されているときに、該遠位先端が少なくとも部分的に真っ直ぐにされるように十分に可撓性であり、項目１６に記載の装置。
（項目２１）
身体管腔を処置するための装置であって、該装置は、
外側部材であって、該外側部材は、近位端、身体管腔の中へ導入するためにサイズ決定された遠位端、および該近位端と遠位端との間に延在する第１の管腔を含む、外側部材と、
拡張可能バルーンであって、該拡張可能バルーンは、該外側部材遠位端に固定される近位端、および出口を備える遠位端を備え、該バルーンは、該第１の管腔および該バルーン出口と連通する内部を備える、拡張可能バルーンと、
該第１の管腔内に摺動可能に配置される内側部材であって、該内側部材は、該外側部材近位端に隣接する近位端、および該バルーン出口に隣接する遠位端を備える、内側部材と、
該内側部材遠位端上の密閉部材であって、該内側部材は、第１の位置と第２の位置との間で移動可能であり、該第１の位置において、該密閉部材が該バルーン出口から離間されることにより、該第１の管腔を通して導入された流体は、該バルーン内部を通過して該バルーン出口から出、該第２の位置において、該密閉部材が該バルーン出口を実質的に密閉することにより、該第１の管腔を通して導入された流体が該バルーン内部に進入して該バルーンを拡張させる、密閉部材と、
該バルーン遠位端内の停止部と該内側部材遠位端との間にある張力部材であって、該張力部材は、該内側部材を該第２の位置に向かって付勢する、張力部材と
を備える、装置。
（項目２２）
前記外側部材近位端上のハンドルと、前記ハンドル上のアクチュエータとをさらに備え、該アクチュエータは、前記第１の位置と第２の位置との間で前記内側部材を誘導する、項目２１に記載の装置。
（項目２３）
前記張力部材は、前記アクチュエータが解放されたときに、前記内側部材を前記第１の位置から前記第２の位置まで自動的に誘導するように付勢される、項目２２に記載の装置。
（項目２４）
前記アクチュエータは、前記張力部材の付勢を克服して、前記内側部材を前記第２の位置から前記第１の位置まで誘導するように構成される、項目２２に記載の装置。
（項目２５）
前記内側部材が前記バルーン出口を通って延在することにより、前記密閉部材は該出口より遠位に配置され、前記内側部材遠位端が該バルーン出口よりも小さい断面を有することにより、管状管腔が該内側部材と該バルーン出口との間に画定され、それにより、該内側部材が前記第１の位置にあるとき、前記バルーン内部から該バルーン出口を通して流体を送達する、項目２１に記載の装置。
（項目２６）
前記密閉部材は、前記第１の位置において前記バルーン内部内に配置され、該密閉部材は、前記第２の位置において少なくとも部分的に該バルーン遠位端内に配置される、項目２１に記載の装置。
（項目２７）
前記バルーン遠位端および前記密閉部材は、停止部を備え、該停止部は、前記第２の位置において前記内側部材の遠位への前進を制限するように相互に係合する、項目２６に記載の装置。
（項目２８）
密閉部材は、弁本体と、該弁本体上の１つ以上の弁シールとを備え、該弁本体は、前記第２の位置において前記バルーン遠位端を通して受容されるようにサイズ決定され、該１つ以上の弁シールは、該バルーンの遠位端の内面に摺動可能に係合することにより、前記出口を実質的に密閉する、項目２６に記載の装置。
（項目２９）
前記内側部材は前記第１の管腔よりも小さい断面を有し、それにより、管状管腔が該内側部材と前記外側部材との間に画定されることにより、流体を前記外側部材近位端から前記バルーン内部まで送達する、項目２１に記載の装置。
（項目３０）
身体管腔を処置するための装置であって、該装置は、
外側部材であって、該外側部材は、近位端、身体管腔の中へ導入するためにサイズ決定された遠位端、および該近位端と遠位端との間に延在する第１の管腔を含む、外側部材と、
拡張可能バルーンであって、該拡張可能バルーンは、該外側部材遠位端に固定される近位端、および出口を備える遠位端を備え、該バルーンは、該第１の管腔および該バルーン出口と連通する内部を備える、拡張可能バルーンと、
該第１の管腔内に摺動可能に配置される内側部材であって、該内側部材は、該外側部材近位端に隣接する近位端、および該バルーン出口に隣接する該バルーン内部内の遠位端を備える、内側部材と、
該内側部材遠位端上の密閉部材と、
該外側部材近位端上のハンドルと、
該内側部材に連結された該ハンドル上のアクチュエータであって、該アクチュエータは、該内側部材を近位位置と遠位位置との間で誘導し、該近位位置において、該密閉部材が該出口から離間されていることにより、該第１の管腔を通して導入された流体は、該装置の周囲の領域の中へと該出口を通過し、該遠位位置において、該密閉部材が該バルーン遠位端内に少なくとも部分的に受容されることにより、該出口を実質的に密閉する、アクチュエータと
を備える、装置。
（項目３１）
前記バルーンの遠位端内の停止部と前記密閉部材との間に連結される張力部材をさらに備え、該張力部材は、該密閉部材を前記近位位置に向かって付勢する、項目３０に記載の装置。
（項目３２）
前記バルーンの近位端と遠位端との間に連結される張力部材をさらに備え、それにより、該バルーンの遠位端を遠位に付勢する、項目３０に記載の装置。
（項目３３）
装置を使用して患者の身体管腔を処置するための方法であって、該装置は、自身の近位端と遠位端にある出口との間に延在する第１の管腔を含む外側部材と、該出口を越えて延在する遠位部分を含む、該第１の管腔内で摺動可能な内側部材と、該遠位部分上の処置要素と、該遠位部分上の該処置要素よりも近位にある密閉部材とを備え、該方法は、
該密閉部材が該出口を実質的に密閉するように、該内側部材が近位位置にある状態で、該外側部材の該遠位端を身体管腔の中へ導入することと、
該装置の近位端上のアクチュエータを誘導することであって、それにより、該内側部材を遠位位置まで移動させ、該密閉部材を該出口から離れるように誘導する、ことと、
流体が該身体管腔の中へと該出口を通過するように、該流体を該第１の管腔を通して送達すること、ならびに流体を該身体管腔から該出口の中へおよび該第１の管腔を通して吸引することのうちの少なくとも１つと、
該処置要素を用いて該身体管腔内で手技を行うことと
を含む、方法。
（項目３４）
前記処置要素は、バルーンを備え、前記手技は、
前記内側部材を前記近位位置に向かって誘導することであって、それにより、前記密閉部材が前記出口を実質的に密閉し、該密閉部材の中の１つ以上の通路が、前記第１の管腔と該バルーンの内部との間で連通する、ことと、
該出口が実質的に密閉された状態で、該第１の管腔を通して流体を送達することであって、それにより、流体を該１つ以上の通路を通して該バルーン内部の中へ送達して、前記身体管腔内で該バルーンを拡張させる、ことと
を含む、項目３３に記載の方法。
（項目３５）
前記バルーンを前記身体管腔内で拡張した螺旋形状に誘導することと、
該バルーンを該拡張した螺旋形状の該身体管腔の壁に沿って誘導することであって、それにより、物質を該身体管腔の該壁から除去する、ことと
をさらに含む、項目３４に記載の方法。
（項目３６）
前記処置要素は、前記バルーンを覆って前記遠位部分上に担持される補綴物をさらに備え、該補綴物は、該バルーンが拡張されるときに前記身体管腔内で拡張される、項目３４に記載の方法。
（項目３７）
前記バルーンは、該バルーンが前記身体管腔の壁に接触するまで拡張され、前記方法は、該バルーンを介して、エネルギーを該身体管腔の壁に隣接する組織まで送達することをさらに含む、項目３４に記載の方法。
（項目３８）
前記バルーンは、該バルーンが前記身体管腔の壁に接触するまで拡張され、それにより、該バルーンによって担持される１つ以上の薬剤を該身体管腔の壁に隣接する組織まで送達する、項目３４に記載の方法。
（項目３９）
前記処置要素は、前記バルーン上に担体を備え、該担体は、１つ以上の診断または処置薬を備え、該担体は、該バルーンが拡張されるときに前記身体管腔内で拡張される、請求
項３４に記載の方法。
（項目４０）
前記処置要素は、バルーンを備え、前記手技は、
前記近位位置に向かって前記内側部材を誘導することであって、それにより、前記密閉部材が前記出口を部分的に閉塞する、ことと、
流体を前記第１の管腔を通して送達することであって、それにより、該流体の一部が、前記身体管腔の中へと該出口から退出し、該流体の一部が、該密閉部材の中の１つ以上の通路を通して該バルーンの内部の中へ送達されることにより、該身体管腔内で該バルーンを部分的に拡張させる、ことと
を含む、項目３３に記載の方法。
（項目４１）
バルーン装置を使用して患者の身体管腔を処置するための方法であって、該バルーン装置は、自身の近位端と遠位端との間に延在する第１の管腔を含む外側部材と、該第１の管腔内で摺動可能な内側部材と、該外側部材遠位端を越えた該内側部材の遠位端に取り付けられるバルーンとを備え、該方法は、
該バルーンが収縮状態にあり、および該内側部材が近位位置にある状態で、該外側部材の該遠位端を身体管腔の中へ導入することであって、それにより、該内側部材上の密閉部材が、該第１の管腔と連通する該外側部材遠位端にある出口を実質的に密閉する、ことと、
該装置の近位端上のアクチュエータを誘導することであって、それにより、該内側部材を遠位位置まで移動させ、その結果、該密閉部材を該出口から離れるように誘導する、ことと、
流体を該第１の管腔を通して送達することであって、それにより、該流体が該身体管腔の中へと該出口を通過する、ことと、
該密閉部材を用いて該出口を実質的に密閉するために、該近位位置に向かって該内側部材を誘導することであって、それにより、該密閉部材の中の１つ以上の通路が、該第１の管腔と該バルーンの内部との間で連通する、ことと、
該出口が実質的に密閉された状態で、流体を該第１の管腔を通して送達することであって、それにより、流体を該１つ以上の通路を通して該バルーン内部の中へ送達して、該バルーンを該収縮状態から拡大状態まで拡張させる、ことと
を含む、方法。
（項目４２）
張力部材が前記内側部材と外側部材との間に連結され、該張力部材は、該内側部材を近位に付勢することにより、該密閉部材が前記出口を密閉することを強化する、項目４１に記載の方法。
（項目４３）
バルーン装置を使用して患者の身体管腔を処置するための方法であって、該バルーン装置は、自身の近位端と遠位端との間に延在する第１の管腔を含む外側部材と、該第１の管腔内で摺動可能な内側部材と、該外側部材遠位端に取り付けられる近位端、出口を含む遠位端、ならびに該第１の管腔および該出口と連通する内部を備えるバルーンとを備え、該方法は、
該バルーンが収縮状態にあり、および該内側部材が第１の位置にある状態で、該外側部材の該遠位端を身体管腔の中へ導入することであって、それにより、該出口が該内側部材遠位端上の密閉部材によって実質的に密閉される、ことと、
該装置の近位端上のアクチュエータを、該内側部材を第２の位置まで移動させるように誘導することであって、その結果、該密閉部材を該出口から離れるように誘導して出口を開放する、ことと、
流体を該第１の管腔を通して送達することであって、それにより、該流体が該バルーン内部を通過し、該身体管腔の中へと該出口から退出する、ことと、
該内側部材を該第１の位置に向かって誘導することであって、それにより、該密閉部材
を用いて該出口を実質的に密閉する、ことと、
該出口が実質的に密閉された状態で、流体を該第１の管腔を通して送達することであって、それにより、該バルーンを該収縮状態から拡大状態まで拡張させる、ことと
を含む、方法。
【手続補正３】
【補正対象書類名】図面
【補正対象項目名】全図
【補正方法】変更
【補正の内容】
【図１】
2014511233.tif 000001
【図２】
2014511233.tif 000002
【図３】
2014511233.tif 000003
【図３Ａ】
2014511233.tif 000004
【図４】
2014511233.tif 000005
【図５】
2014511233.tif 000006
【図６】
2014511233.tif 000007
【図７】
2014511233.tif 000008
【図８】
2014511233.tif 000009
【図９】
2014511233.tif 000010
【図１０】
2014511233.tif 000011
【図１１】
2014511233.tif 000012
【図１２】
2014511233.tif 000013
【図１３】
2014511233.tif 000014
【図１４】
2014511233.tif 000015
【図１５】
2014511233.tif 000016
【図１６Ａ】
2014511233.tif 000017
【図１６Ｂ】
2014511233.tif 000018
【図１６Ｃ】
2014511233.tif 000019
【図１７】
2014511233.tif 000020
【図１８Ａ】
2014511233.tif 000021
【図１８Ｂ】
2014511233.tif 000022
【図１８Ｃ】
2014511233.tif 000023
【図１９】
2014511233.tif 000024
【図２０】
2014511233.tif 000025
【図２１Ａ】
2014511233.tif 000026
【図２１Ｂ】
2014511233.tif 000027
【図２１Ｃ】
2014511233.tif 000028
【図２２】
2014511233.tif 000029